(57)【要約】【目的】  従来の折畳式の携帯電話の便利さを失わないまま、より小型化・薄型化した携帯電話などの携帯型通信端末を提供する。【構成】  画面表示部を有し且つ可とう性を有する１枚の表示シートであって、ユーザーから見て上下方向の少なくとも１つの線を境にして左右に折り畳む（折り畳むことによりユーザーに対向する面の面積が折り畳む前よりも略半分となるように折り畳む）ことができる表示シートと、前記表示シートの前記画面表示部が備えられている面と反対側の面のユーザーから見て左右の略半分のいずれかに備えられたスピーカ及びマイクであって、遠隔の他人と無線で会話をするためのスピーカ及びマイクとを備えた携帯型通信端末である。【選択図】    図１
2006042400.tif 000002
【特許請求の範囲】
【請求項１】
画面表示部を有し且つ可とう性を有する１枚の表示シートであって、ユーザーから見て上下方向の少なくとも１つの線を境にして左右に折り畳む（折り畳むことによりユーザーに対向する面の面積が折り畳む前よりも略半分となるように折り畳む）ことができる表示シートと、
前記表示シートの前記画面表示部が備えられている面と反対側の面のユーザーから見て左又は右の略半分の領域（部分）の中の互いに所定の距離だけ離れた位置にそれぞれ配置されたスピーカ及びマイクであって、遠隔の他人と無線で会話をするためのスピーカ及びマイクとを備えており、
前記表示シートは、前記略半分に折り畳まれた状態から、さらに、前記スピーカ及びマイクがそれぞれ配置された部分が互いに近づくように、ユーザーから見て左右方向の線を境として上下に折り畳む（折り畳むことによりユーザーに対向する面の面積が折り畳む前よりも略半分となるように折り畳む）ことができるようになっている、ことを特徴とする携帯型通信端末。
【請求項２】
画面表示部を有し且つ可とう性を有する１枚の表示シートであって、ユーザーから見て上下方向の少なくとも２つの線を境にして左右に折り畳む（折り畳むことによりユーザーに対向する面の面積が折り畳む前よりも略３分の１となるように折り畳む）ことができる表示シートと、
前記表示シートの前記画面表示部が備えられている面と同じ側の面のユーザーから見て上下方向の少なくとも２つの線を境にして分けられる略３分の１の領域（部分）の中のいずれかの領域（部分）の中の互いに所定の距離だけ離れた位置にそれぞれ配置されたスピーカ及びマイクであって、遠隔の他人と無線で会話をするためのスピーカ及びマイクとを備えており、
前記表示シートは、前記折り畳まれたとき、さらに、前記スピーカ及びマイクがそれぞれ配置された部分が互いに近づくように、ユーザーから見て左右方向の線を境として上下に折り畳む（折り畳むことによりユーザーに対向する面の面積が折り畳む前よりも略半分となるように折り畳む）ことができるようになっている、ことを特徴とする携帯型通信端末。
【発明の詳細な説明】
【技術分野】
【０００１】
本発明は、携帯電話などの携帯型通信端末に関する。
【背景技術】
【０００２】
従来より、携帯電話などの携帯型通信端末では、折畳式のものが流行している（例えば特許文献１参照）。この折畳式は、不使用時には２つの筐体を折り畳んでおき、使用時には前記２つの筐体を開くようにしている。前記２つの筐体を開いたときは、スピーカとマイクがちょうどユーザーの耳と口元に対向するので、通話をするのに便利である。
【特許文献１】特開２０００−１２４９９３号公報
【発明の開示】
【発明が解決しようとする課題】
【０００３】
しかしながら、従来の折り畳み式携帯電話では、２つの筐体を必要とするため、全体の体積が大きくなってしまい、ユーザーの持ち運びに不便だという問題があった。本発明は、従来の折畳式の携帯電話の便利さを失わないまま、より小型化・薄型化した携帯電話などの携帯型通信端末を提供することを目的とする。
【課題を解決するための手段】
【０００４】
１．画面表示部を有し且つ可とう性を有する１枚の表示シートであって、ユーザーから見て上下方向の少なくとも１つの線を境にして左右に折り畳む（折り畳むことによりユーザーに対向する面の面積が折り畳む前よりも略半分となるように折り畳む）ことができる表示シートと、前記表示シートの前記画面表示部が備えられている面と反対側の面のユーザーから見て上下方向の少なくとも１つの線を境にした左又は右の略半分の領域（部分）の互いに所定の距離だけ離れた位置にそれぞれ配置されたスピーカ及びマイクであって、遠隔の他人と無線で会話をするためのスピーカ及びマイクとを備えており、前記表示シートは、前記略半分に折り畳まれた状態から、さらに、前記スピーカ及びマイクがそれぞれ配置された部分が互いに近づくように、ユーザーから見て左右方向の線を境として上下に折り畳む（折り畳むことによりユーザーに対向する面の面積が折り畳む前よりも略半分となるように折り畳む）ことができるようになっている、ことを特徴とする携帯型通信端末。
【０００５】
２．画面表示部を有し且つ可とう性を有する１枚の表示シートであって、ユーザーから見て上下方向の少なくとも２つの線を境にして左右に折り畳む（折り畳むことによりユーザーに対向する面の面積が折り畳む前よりも略３分の１となるように折り畳む）ことができる表示シートと、前記表示シートの前記画面表示部が備えられている面と同じ側の面のユーザーから見て上下方向の少なくとも２つの線を境にして分けられる略３分の１の領域（部分）の中のいずれかの領域（部分）の中の互いに所定の距離だけ離れた位置にそれぞれ配置されたスピーカ及びマイクであって、遠隔の他人と無線で会話をするためのスピーカ及びマイクとを備えており、前記表示シートは、前記折り畳まれた状態から、さらに、前記スピーカ及びマイクがそれぞれ配置された部分が互いに近づくように、ユーザーから見て左右方向の線を境として上下に折り畳む（折り畳むことによりユーザーに対向する面の面積が折り畳む前よりも略半分となるように折り畳む）ことができるようになっている、ことを特徴とする携帯型通信端末。
【０００６】
以下では、本発明の実施例について説明するが、本発明及び本発明を構成する各構成要件は、それぞれ、下記の実施例及び下記の実施例を構成する各要素として述べたものに限定されるものではなく、様々な変更が可能である。
【発明の効果】
【０００７】
本発明によれば、１枚の可とう性のある表示シートにより携帯電話などの携帯型通信端末を構成できるので、従来の折畳式の携帯電話の便利さを失わないまま、より小型化・薄型化した携帯電話などの携帯型通信端末を提供できる。
【発明を実施するための最良の形態】
【０００８】
本発明を実施するための最良の形態は、以下の実施例１について述べるような形態である。
【実施例１】
【０００９】
図１は本発明の実施例１を説明するための図である。図１において、１は可とう性のあるプラスチック製シートであって後述の画面表示部を有する表示シートである。前記シート１には、例えば、有機トランジスタからなるドライバ（図示せず）と、このドライバにより駆動される有機ＥＬ（エレクトロ・ルミネッセンス）表示装置から成る画面表示部２と、が備えられている。
【００１０】
図１（ａ）は、前記表示シート１が全体として開かれており、その画面表示部２がユーザー側に対向している状態を示している。図１において、１ａは前記表示シート１の画面表示部２が備えられている側の面を示す。
【００１１】
前記表示シート１は、図１（ａ）の破線Ａの線（ユーザーから見て上下方向の線）を境にしてユーザーから見て左右方向に折り畳み可能となっている。すなわち、図１（ａ）の表示シート１の図示左側の略半分は矢印α１の方向に、同図示右側の略半分は矢印α２方向に折り畳み可能になっている。前記各矢印のように折り畳むと、図１（ａ）から同（ｂ）の状態を経て、同（ｃ）のような状態となる。
【００１２】
図１（ｃ）に示すように、本実施例１では、前記表示シート１の前記画面表示部２が備えられた面１ａの反対側の面（図１（ｃ）の符号１ｂ１で示す部分と図１（ｄ）の符号１ｂ２で示す部分とを合わせた部分１ｂ）の中の図１（ｃ）の符号１ｂ１で示されている略半分の面（図１（ａ）の破線Ａの図示右側の略半分の裏側の面）には、図示のように、無線で会話をするためのスピーカ３、無線で会話をするためのマイク４、相手先の氏名や電話番号や相手先からのメールの内容や相手先に送るメールの内容を表示するための画面表示部５、ユーザーが文字や数字などを入力するためのタッチパネル機能をも備えた画面表示部６、が備えられている。なお、本実施例１では、前記スピーカ３とマイク４とは所定の距離（例えばユーザーの耳と口との距離にほぼ対応する距離）を介して配置されている。また、本実施例１では、前記画面表示部６に代えて、又は前記画面表示部６と共に、テンキーなどを含むキーボードを備えるようにしてもよい。
【００１３】
図１（ｃ）に示す状態では、ユーザーは、前記スピーカ３を耳元に対向させ、前記マイク４を口元に対向させて、遠隔の相手方と無線で会話を行うことができる。
【００１４】
さらに、本実施例１では、図１（ｃ）の破線Ｂで示す線（ユーザーから見て左右方向の線）を境としてユーザーから見て上下方向に（図１（ｃ）の矢印β１，β２の方向に）折り畳み可能となっている。このように折り畳むと、図１（ｄ）のような状態となり、ユーザーのポケットにも入るような小型となる。
【００１５】
なお、図１（ｄ）において、７は、前記表示シート１の画面表示部２が備えられた面１ａの裏面の前記スピーカ３及びマイク４が備えられている略半分の領域１ｂ１と隣接する他方の略半分の領域１ｂ２（図１（ａ）の表示シート１の破線Ａの図示左側の部分の裏側の面）に備えられた画面表示部で、例えば携帯電話の着信表示や携帯電話の電源の残量表示をするための画面表示部である。
【実施例２】
【００１６】
次に図２は本発明の実施例２を説明するための図である。図２において、１１は可とう性のあるプラスチック製シートであって後述の画面表示部を有する表示シートである。前記シート１１には、例えば、有機トランジスタからなるドライバ（図示せず）と、このドライバにより駆動される有機ＥＬ（エレクトロ・ルミネッセンス）表示装置から成る画面表示部１２と、が備えられている。
【００１７】
図２（ａ）は、前記表示シート１１が全体として開かれており、その画面表示部１２の全体がユーザー側に対向している状態を示している。図２において、１１ａは前記表示シート１１の画面表示部１２が備えられている側の面を示す。
【００１８】
本実施例２においては、図２（ａ）に示すように、前記表示シート１１の画面表示部１２が備えられている面１１ａの図示左側の部分（ユーザーから見て上下方向の２つの線を境として分けたときの図示左端の部分）に、無線で会話をするためのスピーカ１３、無線で会話をするためのマイク１４、相手先の氏名や電話番号や相手先からのメールの内容や相手先に送るメールの内容を表示するための画面表示部１５、ユーザーが文字や数字などを入力するためのタッチパネル機能をも備えた画面表示部１６、が備えられている。なお、本実施例２では、前記スピーカ１３とマイク１４とは所定の距離（例えばユーザーの耳と口との距離にほぼ対応する距離）を介して配置されている。また、本実施例では、前記画面表示部１６に代えて、又は前記画面表示部１６と共に、キーボードを備えるようにしてもよい。
【００１９】
前記表示シート１１は、図２（ａ）の破線Ａ，Ｂの線（ユーザーから見て上下方向の線）を境にしてユーザーから見て左右方向に図２（ｂ）に示すように折り畳み可能となっている。すなわち、図２（ａ）の表示シート１１の図示左端の部分（図２（ａ）の破線Ａの左側部分）は破線Ａを中心として矢印α１の方向に、図示真中の部分（図２（ａ）の破線ＡとＢとに挟まれた部分）は破線Ｂを中心として矢印α２の方向に、図示右端の部分（図２（ａ）の破線Ｂの右側の部分）は破線Ｂを中心として矢印α３の方向に、折り畳み可能になっている。前記各矢印のように折り畳むと、図２（ａ）から同（ｂ）の状態を経て、同（ｃ）のような状態となる。
【００２０】
図２（ｃ）に示す状態では、ユーザーは、前記スピーカ１３を耳元に対向させ、前記マイク１４を口元に対向させて、遠隔の相手方と無線で会話を行うことができる。
【００２１】
さらに、本実施例２では、図２（ｃ）の破線Ｃで示す線（ユーザーから見て左右方向の線）を境として分けられる上側部分と下側部分とが、前記破線Ｃを中心として（図２（ｃ）の矢印β１，β２の方向に）折り畳み可能となっている。このように折り畳むと、図２（ｄ）のような状態となり、ユーザーのポケットにも入るような小型となる。
【００２２】
なお、図２（ｄ）において、１７は、図２（ｃ）の前記表示シート１１の画面表示部１２が備えられた面１１ａの裏面（図２（ａ）の表示シート１の破線Ｂの右側の部分の裏側の部分）に備えられた画面表示部で、例えば携帯電話の着信表示や携帯電話の電源の残量表示をするための画面表示部である。
【実施例３】
【００２３】
次に図３は本発明の実施例３を説明するための図である。図３において、図２と共通する部分には同一の符号を付している。図３において、１１は可とう性のあるプラスチック製シートであって後述の画面表示部を有する表示シートである。前記シート１１には、例えば、有機トランジスタからなるドライバ（図示せず）と、このドライバにより駆動される有機ＥＬ（エレクトロ・ルミネッセンス）表示装置から成る画面表示部１２と、が備えられている。
【００２４】
図３（ａ）は、前記表示シート１１が全体として開かれており、その画面表示部１２の全体がユーザー側に対向している状態を示している。図３（ａ）において、１１ａは前記表示シート１１の画面表示部１２が備えられている側の面を示す。
【００２５】
本実施例３においては、図３（ａ）に示すように、前記表示シート１１の画面表示部１２が備えられている側の面１１ａの中の破線Ａ（ユーザーから見て縦方向の線）より左側の部分に、無線で会話をするためのスピーカ１３、無線で会話をするためのマイク１４、相手先の氏名や電話番号や相手先からのメールの内容や相手先に送るメールの内容を表示するための画面表示部１５、ユーザーが文字や数字などを入力するためのタッチパネル機能をも備えた画面表示部１６、が備えられている。なお、本実施例３では、前記スピーカ１３とマイク１４とは所定の距離（例えばユーザーの耳と口との距離にほぼ対応する距離）を介して配置されている。また、本実施例では、前記画面表示部１６に代えて、又は前記画面表示部１６と共に、キーボードを備えるようにしてもよい。
【００２６】
前記表示シート１１は、図３（ａ）の破線Ａ，Ｂの線（ユーザーから見て上下方向の線）を境にして、前記破線Ａ，Ｂを中心として図示のように折り畳み可能となっている。すなわち、図３（ａ）の表示シート１１の図示右端の部分（図３（ａ）の破線Ｂの右側部分）は、前記破線Ｂを中心（境）として、矢印α１の方向に（図３（ａ）の前記１１ａで示す面の裏側の面が互いに近づく方向に）折り曲げられ（図３（ｂ）参照）、この状態からさらに、前記「図３（ａ）の表示シート１１の図示右端の部分（図３（ａ）の破線Ｂの右側部分）」と図３（ａ）の図示左端の部分とが重なるように破線Ａを中心（境）として折り畳まれる（図３（ｂ）の矢印α２参照）。以上により、図３（ａ）から同（ｂ）の状態を経て、同（ｃ）のような状態となる。
【００２７】
図３（ｃ）に示す状態では、ユーザーは、前記スピーカ１３を耳元に対向させ、前記マイク１４を口元に対向させて、遠隔の相手方と無線で会話を行うことができる。
【００２８】
さらに、本実施例３では、図３（ｃ）の破線Ｃで示す線（ユーザーから見て左右方向の線）を中心（境）として、前記スピーカ１３とマイク１４とが、互いに近づく方向に（図３（ｃ）の矢印β１，β２の方向に）、折り畳み可能となっている。このように折り畳むと、図３（ｄ）に示すような状態となり、ユーザーのポケットにも入るような小型となる。
【００２９】
なお、図３（ｄ）において、１７は、前記表示シート１１の画面表示部１２が備えられた面１１ａの裏面（図３（ａ）の表示シート１の破線Ｂと破線Ａとで挟まれている部分の裏側の面）に備えられた画面表示部で、例えば携帯電話の着信表示や携帯電話の電源の残量表示をするための画面表示部である。
【００３０】
以上、本発明の各実施例について説明したが、本発明及び本発明を構成する各構成要件は、それぞれ、前記の各実施例及び前記の各実施例を構成する各要素として述べたものに限定されるものではなく、様々な変更が可能である。
なお、最後に、前記の各実施例１−３に使用可能な「透明で曲がるトランジスタ」について、２００４年１１月２５日付け日本経済新聞の記事（記事タイトル：「透明で曲がるトランジスタ」）の内容を次に引用しておく。「科学技術振興機構は二十四日、東京工業大学の細野秀雄教授らと共同で、透明で曲げられる新型トランジスタ＝写真＝を開発したと発表した。有機ＥＬ、（エレクトロ・ルミネッセンス）などの表示技術と組み合わせれば曲げられるディスプレーの作製が容易になる。半導体材料に使われるインジウムやガリウム、亜鉛などでできた透明な酸化物を利用した。この酸化物は常温で加工できるため、熱に弱いプラスチックの上でも薄膜を作ることができ、その上にトランジスタの電子回路を作製した。曲げられるディスプレーを作るには、駆動部であるトランジスタも透明で軟らかい材料を使う必要がある。」
【図面の簡単な説明】
【００３１】
【図１】本発明の実施例１を説明するための図。
【図２】本発明の実施例１を説明するための図。
【図３】本発明の実施例１を説明するための図。
【符号の説明】
【００３２】
１，１１             表示シート
２，５，６，７，１２，１５，１６，１７          画面表示部
３，１３             スピーカ
４，１４             マイク
【図１】
2006042400.tif 000003
【図２】
2006042400.tif 000004
【図３】
2006042400.tif 000005